(57)【要約】【課題】ユーザ同士が実際に対面して出会うことを支援することを図る。【解決手段】ユーザの端末装置は、自己の位置をサーバ装置に通知してユーザマッチングをサーバ装置に要求するマッチング要求部を備え、サーバ装置は、ユーザマッチングの要求に応じて待合せ場所を当該ユーザマッチングの要求元の端末装置に通知する待合せ場所指定部と、同じ待合せ場所を通知するユーザの組合せを登録ユーザ群の中から選択し、選択した組合せの各ユーザの端末装置へユーザマッチングの結果を通知するユーザマッチング部と、を備え、マッチング要求部は、サーバ装置から通知された待合せ場所及びユーザマッチングの結果を示す情報を出力する。【選択図】図１
2020035130.tif 000002
【特許請求の範囲】
【請求項１】
ユーザの端末装置と、前記端末装置と通信を行うサーバ装置とを備える出会い支援システムにおいて、
前記端末装置は、自己の位置を前記サーバ装置に通知してユーザマッチングを前記サーバ装置に要求するマッチング要求部を備え、
前記サーバ装置は、
前記ユーザマッチングの要求に応じて、待合せ場所を当該ユーザマッチングの要求元の前記端末装置に通知する待合せ場所指定部と、
同じ待合せ場所を通知するユーザの組合せを登録ユーザ群の中から選択し、選択した組合せの各ユーザの前記端末装置へユーザマッチングの結果を通知するユーザマッチング部と、を備え、
前記マッチング要求部は、前記サーバ装置から通知された待合せ場所及びユーザマッチングの結果を示す情報を出力する、
出会い支援システム。
【請求項２】
前記端末装置は、前記端末装置の位置が前記サーバ装置から通知された待合せ場所に該当する場合に、前記端末装置のユーザが待合せ場所に到着したことを前記サーバ装置に通知する待合せ場所到着通知部をさらに備え、
前記サーバ装置は、前記端末装置のユーザが待合せ場所に到着したことの通知を受信した場合に、前記ユーザマッチングの結果の相手ユーザの前記端末装置へ、出会い相手が当該待合せ場所に到着したことを通知する待合せ場所到着状態管理部をさらに備え、
前記待合せ場所到着通知部は、前記サーバ装置から通知された出会い相手が待合せ場所に到着したことを示す情報を出力する、
請求項１に記載の出会い支援システム。
【請求項３】
前記端末装置は、前記ユーザマッチングの結果の相手ユーザの前記端末装置が接近したと判定された場合に、当該相手ユーザの前記端末装置との間でメッセージの交換を開始するメッセージ送受信部をさらに備える、
請求項１又は２のいずれか１項に記載の出会い支援システム。
【請求項４】
前記マッチング要求部は、ユーザ操作に応じて、待合せ場所の変更を前記サーバ装置に要求し、
前記待合せ場所指定部は、前記待合せ場所の変更の要求を受けた場合に、前記ユーザマッチングの結果の各ユーザの前記端末装置へ変更後の待合せ場所を通知し、
前記マッチング要求部は、前記サーバ装置から通知された変更後の待合せ場所を示す情報を出力する、
請求項１から３のいずれか１項に記載の出会い支援システム。
【請求項５】
前記端末装置は、出会い相手接近度情報が所定の閾値に達した場合に、振動により報知する出会い相手接近報知部をさらに備える、
請求項１から４のいずれか１項に記載の出会い支援システム。
【請求項６】
ユーザの端末装置と、前記端末装置と通信を行うサーバ装置とを備える出会い支援システムの前記端末装置において、
前記端末装置の位置を前記サーバ装置に通知してユーザマッチングを前記サーバ装置に要求し、前記ユーザマッチングの要求に応じて前記サーバ装置から通知された待合せ場所及びユーザマッチングの結果を示す情報を出力するマッチング要求部、
を備える端末装置。
【請求項７】
ユーザの端末装置と、前記端末装置と通信を行うサーバ装置とを備える出会い支援システムの前記サーバ装置において、
前記端末装置からの位置の通知及びユーザマッチングの要求に応じて、待合せ場所を前記端末装置に通知する待合せ場所指定部と、
同じ待合せ場所を通知するユーザの組合せを登録ユーザ群の中から選択し、選択した組合せの各ユーザの前記端末装置へユーザマッチングの結果を通知するユーザマッチング部と、を備える、
サーバ装置。
【請求項８】
ユーザの端末装置と、前記端末装置と通信を行うサーバ装置とを備える出会い支援システムの出会い支援方法であって、
前記端末装置が、自己の位置を前記サーバ装置に通知してユーザマッチングを前記サーバ装置に要求するマッチング要求ステップと、
前記サーバ装置が、前記ユーザマッチングの要求に応じて、待合せ場所を当該ユーザマッチングの要求元の前記端末装置に通知する待合せ場所指定ステップと、
前記サーバ装置が、同じ待合せ場所を通知するユーザの組合せを登録ユーザ群の中から選択し、選択した組合せの各ユーザの前記端末装置へユーザマッチングの結果を通知するユーザマッチングステップと、
前記端末装置が、前記サーバ装置から通知された待合せ場所及びユーザマッチングの結果を示す情報を出力する情報出力ステップと、
を含む出会い支援方法。
【請求項９】
ユーザの端末装置と、前記端末装置と通信を行うサーバ装置とを備える出会い支援システムの前記端末装置のコンピュータに、
前記端末装置の位置を前記サーバ装置に通知してユーザマッチングを前記サーバ装置に要求し、前記ユーザマッチングの要求に応じて前記サーバ装置から通知された待合せ場所及びユーザマッチングの結果を示す情報を出力するマッチング要求機能、
を実現させるためのコンピュータプログラム。
【請求項１０】
ユーザの端末装置と、前記端末装置と通信を行うサーバ装置とを備える出会い支援システムの前記サーバ装置のコンピュータに、
前記端末装置からの位置の通知及びユーザマッチングの要求に応じて、待合せ場所を前記端末装置に通知する待合せ場所指定機能と、
同じ待合せ場所を通知するユーザの組合せを登録ユーザ群の中から選択し、選択した組合せの各ユーザの前記端末装置へユーザマッチングの結果を通知するユーザマッチング機能と、
を実現させるためのコンピュータプログラム。
【発明の詳細な説明】
【技術分野】
【０００１】
本発明は、出会い支援システム、端末装置、サーバ装置、出会い支援方法及びコンピュータプログラムに関する。
【背景技術】
【０００２】
ユーザ同士の新たな出会いを支援するための技術として、例えば特許文献１に記載される従来技術が知られている。特許文献１に記載される従来技術は、ユーザ識別子（ユーザＩＤ）毎に、ユーザ自身の属性と出会いたい相手の属性とを格納するデータベースを備え、互いに近傍の地に居るユーザの組合せの中から、出会いたい相手の属性が互いに一致するユーザの組合せをマッチング結果として選択し、マッチング結果の組合せの各ユーザに互いの連絡先（電話番号や電子メールアドレス等）を通知している。
【先行技術文献】
【特許文献】
【０００３】
【特許文献１】特開２０００−１６７２３３号公報
【発明の概要】
【発明が解決しようとする課題】
【０００４】
しかし、上述した従来技術では、マッチングが成立したとしても、マッチングが成立したユーザ同士が実際に対面することが難しい場合があった。例えば、マッチングが成立した組合せのユーザ同士が対面するまでには、一般にユーザ同士が電子メール等によりメッセージを交換して互いの印象をある程度把握する過程が生じるが、そのメッセージのやり取りが手間であったり、メッセージでの表現が苦手であったりすることで実際に対面するまでに至らない場合があった。
【０００５】
本発明は、このような事情を考慮してなされたものであり、その目的は、ユーザ同士が実際に対面して出会うことを支援することを図ることにある。
【課題を解決するための手段】
【０００６】
（１）本発明の一態様は、ユーザの端末装置と、前記端末装置と通信を行うサーバ装置とを備える出会い支援システムにおいて、前記端末装置は、自己の位置を前記サーバ装置に通知してユーザマッチングを前記サーバ装置に要求するマッチング要求部を備え、前記サーバ装置は、前記ユーザマッチングの要求に応じて、待合せ場所を当該ユーザマッチングの要求元の前記端末装置に通知する待合せ場所指定部と、同じ待合せ場所を通知するユーザの組合せを登録ユーザ群の中から選択し、選択した組合せの各ユーザの前記端末装置へユーザマッチングの結果を通知するユーザマッチング部と、を備え、前記マッチング要求部は、前記サーバ装置から通知された待合せ場所及びユーザマッチングの結果を示す情報を出力する、出会い支援システムである。
（２）本発明の一態様は、前記端末装置は、前記端末装置の位置が前記サーバ装置から通知された待合せ場所に該当する場合に、前記端末装置のユーザが待合せ場所に到着したことを前記サーバ装置に通知する待合せ場所到着通知部をさらに備え、前記サーバ装置は、前記端末装置のユーザが待合せ場所に到着したことの通知を受信した場合に、前記ユーザマッチングの結果の相手ユーザの前記端末装置へ、出会い相手が当該待合せ場所に到着したことを通知する待合せ場所到着状態管理部をさらに備え、前記待合せ場所到着通知部は、前記サーバ装置から通知された出会い相手が待合せ場所に到着したことを示す情報を出力する、上記（１）の出会い支援システムである。
（３）本発明の一態様は、前記端末装置は、前記ユーザマッチングの結果の相手ユーザの前記端末装置が接近したと判定された場合に、当該相手ユーザの前記端末装置との間でメッセージの交換を開始するメッセージ送受信部をさらに備える、上記（１）又は（２）のいずれかの出会い支援システムである。
（４）本発明の一態様は、前記マッチング要求部は、ユーザ操作に応じて、待合せ場所の変更を前記サーバ装置に要求し、前記待合せ場所指定部は、前記待合せ場所の変更の要求を受けた場合に、前記ユーザマッチングの結果の各ユーザの前記端末装置へ変更後の待合せ場所を通知し、前記マッチング要求部は、前記サーバ装置から通知された変更後の待合せ場所を示す情報を出力する、上記（１）から（３）のいずれかの出会い支援システムである。
（５）本発明の一態様は、前記端末装置は、出会い相手接近度情報が所定の閾値に達した場合に、振動により報知する出会い相手接近報知部をさらに備える、上記（１）から（４）のいずれかの出会い支援システムである。
【０００７】
（６）本発明の一態様は、ユーザの端末装置と、前記端末装置と通信を行うサーバ装置とを備える出会い支援システムの前記端末装置において、前記端末装置の位置を前記サーバ装置に通知してユーザマッチングを前記サーバ装置に要求し、前記ユーザマッチングの要求に応じて前記サーバ装置から通知された待合せ場所及びユーザマッチングの結果を示す情報を出力するマッチング要求部、を備える端末装置である。
【０００８】
（７）本発明の一態様は、ユーザの端末装置と、前記端末装置と通信を行うサーバ装置とを備える出会い支援システムの前記サーバ装置において、前記端末装置からの位置の通知及びユーザマッチングの要求に応じて、待合せ場所を前記端末装置に通知する待合せ場所指定部と、同じ待合せ場所を通知するユーザの組合せを登録ユーザ群の中から選択し、選択した組合せの各ユーザの前記端末装置へユーザマッチングの結果を通知するユーザマッチング部と、を備える、サーバ装置である。
【０００９】
（８）本発明の一態様は、ユーザの端末装置と、前記端末装置と通信を行うサーバ装置とを備える出会い支援システムの出会い支援方法であって、前記端末装置が、自己の位置を前記サーバ装置に通知してユーザマッチングを前記サーバ装置に要求するマッチング要求ステップと、前記サーバ装置が、前記ユーザマッチングの要求に応じて、待合せ場所を当該ユーザマッチングの要求元の前記端末装置に通知する待合せ場所指定ステップと、前記サーバ装置が、同じ待合せ場所を通知するユーザの組合せを登録ユーザ群の中から選択し、選択した組合せの各ユーザの前記端末装置へユーザマッチングの結果を通知するユーザマッチングステップと、前記端末装置が、前記サーバ装置から通知された待合せ場所及びユーザマッチングの結果を示す情報を出力する情報出力ステップと、を含む出会い支援方法である。
【００１０】
（９）本発明の一態様は、ユーザの端末装置と、前記端末装置と通信を行うサーバ装置とを備える出会い支援システムの前記端末装置のコンピュータに、前記端末装置の位置を前記サーバ装置に通知してユーザマッチングを前記サーバ装置に要求し、前記ユーザマッチングの要求に応じて前記サーバ装置から通知された待合せ場所及びユーザマッチングの結果を示す情報を出力するマッチング要求機能、を実現させるためのコンピュータプログラムである。
【００１１】
（１０）本発明の一態様は、ユーザの端末装置と、前記端末装置と通信を行うサーバ装置とを備える出会い支援システムの前記サーバ装置のコンピュータに、前記端末装置からの位置の通知及びユーザマッチングの要求に応じて、待合せ場所を前記端末装置に通知する待合せ場所指定機能と、同じ待合せ場所を通知するユーザの組合せを登録ユーザ群の中から選択し、選択した組合せの各ユーザの前記端末装置へユーザマッチングの結果を通知するユーザマッチング機能と、を実現させるためのコンピュータプログラムである。
【発明の効果】
【００１２】
本発明によれば、ユーザ同士が実際に対面して出会うことを支援することができるという効果が得られる。
【図面の簡単な説明】
【００１３】
【図１】一実施形態に係る出会い支援システムの構成例を示すブロック図である。
【図２】一実施形態に係るユーザ端末のハードウェア構成例を示すブロック図である。
【図３】一実施形態に係るサーバ装置のハードウェア構成例を示すブロック図である。
【図４】一実施形態に係るユーザＤＢ５０の構成例を示す図である。
【図５】一実施形態に係る出会い支援方法の概要を示す説明図である。
【図６】一実施形態に係る出会い支援方法の手順の例を示すシーケンス図である。
【図７】一実施形態に係るユーザ接近判定処理の例１の手順を示すシーケンス図である。
【図８】一実施形態に係るユーザ接近判定処理の例２の手順を示すシーケンス図である。
【図９】一実施形態に係るユーザ接近判定処理の例２のユーザ接近判定方法の説明図である。
【発明を実施するための形態】
【００１４】
以下、図面を参照し、本発明の実施形態について説明する。
図１は、一実施形態に係る出会い支援システムの構成例を示すブロック図である。図１において、出会い支援システム１は、ユーザの端末装置（ユーザ端末）ＵＥと、サーバ装置ＳＥとを備える。図１中には、ユーザ端末ＵＥとして、ユーザＡのユーザ端末ＵＥとユーザＢのユーザ端末ＵＥとが例示されている。各ユーザ端末ＵＥと、サーバ装置ＳＥとは、通信ネットワークＮＷを介して通信を行う。通信ネットワークＮＷは、例えば、携帯電話ネットワークや無線ＬＡＮ（Local Area Network）等の無線通信ネットワーク、インターネットなどである。
【００１５】
［ユーザ端末］
ユーザ端末ＵＥは、マッチング要求部１１と、待合せ場所到着通知部１２と、メッセージ送受信部１３と、相手ユーザ評価部１４と、ユーザ間接近判定部１５と、ユーザ間接近度合い表示部１６と、出会い通知部１７とを備える。
【００１６】
図２は、本実施形態に係るユーザ端末のハードウェア構成例を示すブロック図である。図２において、ユーザ端末ＵＥは、演算処理部６１と、記憶部６２と、通信部６３と、操作部６４と、表示部６５と、測位部６６とを備える。演算処理部６１は、ユーザ端末ＵＥの制御を行う。この制御機能は、演算処理部６１がコンピュータプログラムを実行することにより実現される。記憶部６２は、演算処理部６１で実行されるコンピュータプログラムや各種のデータを記憶する。
【００１７】
通信部６３は、ユーザ端末ＵＥの外部の装置と通信を行う。例えば、通信部６３は、通信ネットワークＮＷを介して、サーバ装置ＳＥや他のユーザ端末ＵＥと通信を行う。又は、通信部６３は、近距離無線通信により他のユーザ端末ＵＥと通信を行ってもよい。通信部６３は、例えば、Ｗｉ−Ｆｉ（登録商標）方式の無線ＬＡＮを利用してサーバ装置ＳＥや他のユーザ端末ＵＥと通信を行ってもよい。
【００１８】
操作部６４は、例えばテンキー等の入力デバイスから構成され、ユーザの操作に応じたデータ入力を行う。表示部６５は、例えば液晶表示装置等の表示デバイスから構成され、データ表示を行う。なお、ユーザ端末ＵＥは、データ入力とデータ表示の両方が可能なタッチパネルを備えてもよい。
【００１９】
測位部６６は、ユーザ端末ＵＥの現在位置を測定する。測位部６６は、例えばＧＰＳを利用する測位機能を有する。また、測位部６６は、無線ＬＡＮのアクセスポイントから送信される信号を受信した受信信号に基づいて、当該アクセスポイントの位置をユーザ端末ＵＥの現在位置として取得してもよい。
【００２０】
図１に示されるユーザ端末ＵＥの各部の機能は、演算処理部６１が記憶部６２に格納される出会い支援アプリケーション（コンピュータプログラム）を実行することにより実現される。ユーザ端末ＵＥとして、例えば、スマートフォンやタブレット型のコンピュータ（タブレットＰＣ）等の携帯通信端末装置を利用してもよい。
【００２１】
マッチング要求部１１は、ユーザマッチングに係る要求をサーバ装置ＳＥに行う。本実施形態の一例として、マッチング要求部１１は、自ユーザ端末ＵＥの位置をサーバ装置ＳＥに通知してユーザマッチングをサーバ装置ＳＥに要求し、ユーザマッチングの要求に応じてサーバ装置ＳＥから通知された待合せ場所及びユーザマッチングの結果を示す情報を出力する。ユーザマッチングの結果には、出会い相手が見つかった場合の「ユーザマッチングの成立の結果」と、出会い相手が見つからなかった場合の「ユーザマッチングの不成立の結果」とがある。
【００２２】
また、マッチング要求部１１は、ユーザ操作に応じて待合せ場所の変更をサーバ装置ＳＥに要求し、サーバ装置ＳＥから通知された変更後の待合せ場所を示す情報を出力する。
【００２３】
待合せ場所到着通知部１２は、自ユーザ端末ＵＥのユーザが待合せ場所に到着したことをサーバ装置ＳＥに通知する。本実施形態の一例として、待合せ場所到着通知部１２は、自ユーザ端末ＵＥの位置がサーバ装置ＳＥから通知された待合せ場所に該当する場合に、自ユーザ端末ＵＥのユーザが待合せ場所に到着したこと（待合せ場所到着）をサーバ装置ＳＥに通知する。なお、待合せ場所到着通知部１２は、自ユーザ端末ＵＥの位置がサーバ装置ＳＥから通知された待合せ場所に該当する場合において、自動的に待合せ場所到着をサーバ装置ＳＥに通知してもよく、又は、ユーザが到着通知操作を行ったときに待合せ場所到着をサーバ装置ＳＥに通知してもよい。
また、待合せ場所到着通知部１２は、サーバ装置ＳＥから通知された「出会い相手が待合せ場所に到着したこと」を示す情報を出力する。
【００２４】
メッセージ送受信部１３は、ユーザ同士のメッセージ交換を行う。本実施形態の一例として、メッセージ送受信部１３は、ユーザマッチングの成立の結果の相手ユーザのユーザ端末ＵＥが接近したと判定された場合に、当該相手ユーザのユーザ端末ＵＥとの間でメッセージの交換を開始する。
【００２５】
相手ユーザ評価部１４は、ユーザの操作に応じて、出会い相手のユーザに対する評価値をサーバ装置ＳＥへ送信する。ユーザは、ユーザマッチングの終了後に、出会い相手のユーザに対する評価値の入力操作をユーザ端末ＵＥにより行う。
【００２６】
ユーザ間接近判定部１５は、サーバ装置ＳＥから通知されたユーザマッチングの成立の結果の相手ユーザのユーザ端末ＵＥと自ユーザ端末ＵＥとの間の距離を示す端末間距離情報に基づいて、当該相手ユーザのユーザ端末ＵＥが接近したか否かを判定する。本実施形態の一例として、ユーザ間接近判定部１５は、端末間距離情報に基づいて、相手ユーザのユーザ端末ＵＥがどの程度接近したかを示す端末接近度合いを判定する。端末接近度合いが所定の閾値以上である場合に、相手ユーザのユーザ端末ＵＥが接近したと判定される。
【００２７】
ユーザ間接近度合い表示部１６は、ユーザ間接近判定部１５の判定結果の端末接近度合いに基づいて、出会い相手がどの程度接近したかを示す出会い相手接近度情報を表示部６５に表示する。出会い相手接近度情報は、端末接近度合いをそのまま示す情報であってもよく、又は、端末接近度合いに基づいて所定の演算が行われた結果を示す情報であってもよい。出会い相手接近度情報の表示方法は、数値の表示であってもよく、又は、多段階グラフ等のグラフの表示であってもよい。
なお、出会い相手接近度情報が所定の閾値に達した場合に、音や振動等により報知する出会い相手接近報知機能をユーザ端末ＵＥに備えてもよい。本実施形態に係る出会い相手接近報知機能の一例として、ユーザ端末ＵＥは、自ユーザ端末ＵＥを振動させる振動発生部と、当該振動発生部を制御する振動制御部とを備える。振動制御部は、出会い相手接近度情報が所定の閾値に達した場合に、振動発生部により振動を発生させる。これにより、ユーザは、ユーザ端末ＵＥが振動した場合、出会い相手が接近したと認識することができる。振動発生部により発生させる振動は、一定の強さで振動するものであってもよく、又は、出会い相手接近度情報が示す出会い相手の接近度に応じた強さや振動パターンで振動するものであってもよい。例えば、出会い相手の接近度が高い（出会い相手がより接近している）ほどに、振動の間隔が短くなったり、又は、振動の強さが強くなったりしてもよい。
【００２８】
出会い通知部１７は、ユーザの操作に応じて、出会い相手と待合せ場所で出会えたことをサーバ装置ＳＥへ通知する。ユーザは、出会い相手と待合せ場所で出会えた場合に、出会い相手と待合せ場所で出会えたことをサーバ装置ＳＥへ通知するための入力操作をユーザ端末ＵＥにより行う。
【００２９】
［サーバ装置］
サーバ装置ＳＥは、待ち合わせ場所指定部３１と、ユーザマッチング部３２と、ユーザマッチング結果出力部３３と、ユーザ組状態管理部４０と、ユーザデータベース（ユーザＤＢ）５０とを備える。ユーザ組状態管理部４０は、待合せ場所到着状態管理部４１と、ユーザ間接近判定情報管理部４２と、ユーザ間メッセージ管理部４３と、ユーザ評価管理部４４とを備える。
【００３０】
図３は、本実施形態に係るサーバ装置のハードウェア構成例を示すブロック図である。図３において、サーバ装置ＳＥは、演算処理部７１と、記憶部７２と、通信部７３とを備える。演算処理部７１は、サーバ装置ＳＥの制御を行う。この制御機能は、演算処理部７１がコンピュータプログラムを実行することにより実現される。記憶部７２は、演算処理部７１で実行されるコンピュータプログラムや各種のデータを記憶する。
【００３１】
通信部７３は、サーバ装置ＳＥの外部の装置と通信を行う。例えば、通信部７３は、通信ネットワークＮＷを介して、ユーザ端末ＵＥや他の各種のサーバ装置と通信を行う。
【００３２】
図１に示されるサーバ装置ＳＥの各部の機能は、演算処理部７１が記憶部７２に格納される出会い支援サーバプログラム（コンピュータプログラム）を実行することにより実現される。サーバ装置ＳＥとして、例えば、ＷＷＷシステム等を利用してウェブサイトを開設するように構成してもよい。
【００３３】
待ち合わせ場所指定部３１は、ユーザ端末ＵＥからのユーザマッチングの要求に応じて、待合せ場所を当該ユーザマッチングの要求元のユーザ端末ＵＥに通知する。
【００３４】
また、待ち合わせ場所指定部３１は、ユーザ端末ＵＥから待合せ場所の変更の要求を受けた場合に、ユーザマッチングの成立の結果の各ユーザのユーザ端末ＵＥへ、変更後の待合せ場所を通知する。待合せ場所の変更の要求は、ユーザマッチングの成立前でも成立後でも行うことができる。
なお、待ち合わせ場所指定部３１は、ユーザ端末ＵＥからの待合せ場所の変更の要求に応じて、ユーザマッチングの成立の結果の相手ユーザのユーザ端末ＵＥへ待合せ場所の変更の許可を問合せしてもよい。待ち合わせ場所指定部３１は、当該問合せの結果が許可である場合に、ユーザマッチングの成立の結果の各ユーザのユーザ端末ＵＥへ、変更後の待合せ場所を通知するようにしてもよい。
【００３５】
ユーザマッチング部３２は、同じ待合せ場所を通知するユーザの組合せを登録ユーザ群の中から選択し、選択した組合せの各ユーザのユーザ端末ＵＥへユーザマッチングの成立の結果を通知する。ユーザマッチングの成立の結果は、出会い相手の情報として、ニックネームやメッセージ交換に使用される宛先等の情報を含む。
【００３６】
なお、ユーザマッチング部３２は、同じ待合せ場所を通知するユーザの組合せを登録ユーザ群の中から選択できなかった場合、当該待合せ場所を通知するユーザのユーザ端末ＵＥへユーザマッチングの不成立の結果を通知する。例えば、ある待合せ場所を通知するユーザが一人のみしか存在しない場合、当該待合せ場所を通知するユーザの組合せを登録ユーザ群の中から選択できないので、当該待合せ場所を通知するユーザのユーザ端末ＵＥへユーザマッチングの不成立の結果を通知する。
【００３７】
ユーザマッチング結果出力部３３は、ユーザマッチングの成立の結果による相手ユーザ評価や各種の実績等の情報をユーザＤＢ５０に出力する。
ユーザ組状態管理部４０は、ユーザマッチングの成立の結果のユーザの組合せに関する状態の管理を行う。
【００３８】
待合せ場所到着状態管理部４１は、ユーザマッチングの成立の結果のユーザの組合せに関して、ユーザが待合せ場所に到着したか否かについての状態を管理する。
ユーザ間接近判定情報管理部４２は、ユーザマッチングの成立の結果のユーザの組合せに関して、同じ組合せのユーザ同士が接近したか否かに関するユーザ間接近判定情報を管理する。
ユーザ間メッセージ管理部４３は、ユーザマッチングの成立の結果のユーザの組合せに関して、同じ組合せのユーザ同士のメッセージの交換を管理する。
ユーザ評価管理部４４は、ユーザマッチングの成立の結果のユーザの組合せに関して、同じ組合せのユーザ同士の相手ユーザに対する評価値を管理する。
【００３９】
ユーザＤＢ５０は、出会い支援システム１に登録された登録ユーザ群のユーザ情報を格納する。ユーザＤＢ５０には、出会い支援システム１に登録された各ユーザに関するユーザ情報が蓄積される。ユーザ情報は、ユーザ識別子（ユーザＩＤ）、ユーザのプロファイル、ユーザマッチングの成立の結果による相手ユーザ評価や各種の実績等の情報などを含む。ユーザのプロファイルは、氏名、ニックネーム、性別、年齢、居住地域、趣味等のユーザの属性を示す情報と、出会い相手とのメッセージ交換に使用される宛先を示す情報とを含む。
【００４０】
図４は、本実施形態に係るユーザＤＢ５０の構成例を示す図である。図４において、ユーザＤＢ５０は、出会い支援システム１に登録された登録ユーザ群のユーザ情報を格納する。図４に例示されるように、ユーザＤＢ５０は、ユーザＩＤと、当該ユーザＩＤのユーザのプロファイルと、当該ユーザＩＤのユーザの評価ランクと、当該ユーザＩＤのユーザのキャンセル頻度と、当該ユーザＩＤのユーザの待合せ場所変更頻度などを関連付けて格納する。
【００４１】
ユーザの評価ランクは、ユーザマッチングの成立の結果の相手ユーザから評価された評価値に基づいて算出された当該ユーザの評価ランクである。ユーザ評価管理部４４は、ユーザ端末ＵＥからサーバ装置ＳＥに通知された「出会い相手のユーザに対する評価値」に基づいて、評価されたユーザ（出会い相手のユーザ）の評価ランクを算出する。ユーザ評価管理部４４が算出した評価ランクは、ユーザマッチング結果出力部３３を介してユーザＤＢ５０に出力されてユーザＤＢ５０に格納される。
【００４２】
ユーザのキャンセル頻度は、サーバ装置ＳＥから当該ユーザのユーザ端末ＵＥにユーザマッチングの成立の結果を通知した後で当該ユーザが出会いをキャンセルした頻度である。ユーザ組状態管理部４０は、ユーザマッチングの成立の結果の通知後の出会いキャンセル回数をユーザ毎に記録して各ユーザのキャンセル頻度を算出する。ユーザ組状態管理部４０が算出したキャンセル頻度は、ユーザマッチング結果出力部３３を介してユーザＤＢ５０に出力されてユーザＤＢ５０に格納される。
【００４３】
ユーザの待合せ場所変更頻度は、サーバ装置ＳＥから当該ユーザのユーザ端末ＵＥに待合せ場所を通知した後で当該ユーザからの待合せ場所を変更する待合せ場所変更要求によって待合せ場所を変更した頻度である。待合せ場所到着状態管理部４１は、待合せ場所の通知後の待合せ場所変更要求によって待合せ場所を変更した回数をユーザ毎に記録して各ユーザの待合せ場所変更頻度を算出する。待合せ場所到着状態管理部４１が算出した待合せ場所変更頻度は、ユーザマッチング結果出力部３３を介してユーザＤＢ５０に出力されてユーザＤＢ５０に格納される。
【００４４】
［出会い支援方法の概要］
図５を参照して、本実施形態に係る出会い支援方法の概要を説明する。図５は、本実施形態に係る出会い支援方法の概要を示す説明図である。
【００４５】
（ステップＳ１ａ，Ｓ１ｂ）  ユーザＡは、ユーザ端末ＵＥによりユーザマッチングを開始する操作を行う。ユーザＡのユーザ端末ＵＥのマッチング要求部１１は、自ユーザ端末ＵＥの位置をサーバ装置ＳＥに通知してユーザマッチングをサーバ装置ＳＥに要求する。同様に、ユーザＢは、ユーザ端末ＵＥによりユーザマッチングを要求する操作を行う。ユーザＢのユーザ端末ＵＥのマッチング要求部１１は、自ユーザ端末ＵＥの位置をサーバ装置ＳＥに通知してユーザマッチングをサーバ装置ＳＥに要求する。
【００４６】
（ステップＳ２ａ，Ｓ２ｂ）  サーバ装置ＳＥの待ち合わせ場所指定部３１は、ユーザＡのユーザ端末ＵＥからのユーザマッチングの要求に応じて、待合せ場所「〇〇カフェ」を当該ユーザマッチングの要求元のユーザＡのユーザ端末ＵＥに通知する。なお、「〇〇カフェ」は説明の便宜上の待合せ場所の店名である。
【００４７】
ユーザＡのユーザ端末ＵＥのマッチング要求部１１は、サーバ装置ＳＥから通知された待合せ場所「〇〇カフェ」を示す情報を表示部６５の画面表示等により出力する。これにより、ユーザＡは、待合せ場所「〇〇カフェ」を認識し、待合せ場所「〇〇カフェ」へ移動を開始する。
【００４８】
同様に、サーバ装置ＳＥの待ち合わせ場所指定部３１は、ユーザＢのユーザ端末ＵＥからのユーザマッチングの要求に応じて、待合せ場所「〇〇カフェ」を当該ユーザマッチングの要求元のユーザＢのユーザ端末ＵＥに通知する。ユーザＢのユーザ端末ＵＥのマッチング要求部１１は、サーバ装置ＳＥから通知された待合せ場所「〇〇カフェ」を示す情報を表示部６５の画面表示等により出力する。これにより、ユーザＢは、待合せ場所「〇〇カフェ」を認識し、待合せ場所「〇〇カフェ」へ移動を開始する。
【００４９】
サーバ装置ＳＥのユーザマッチング部３２は、同じ待合せ場所「〇〇カフェ」を通知するユーザの組合せをユーザＤＢ５０の登録ユーザ群の中から選択し、選択した組合せの各ユーザＡ，Ｂのユーザ端末ＵＥへユーザマッチングの成立の結果「出会い相手のニックネーム及びメッセージ交換用の宛先」を通知する。
【００５０】
ユーザＡのユーザ端末ＵＥのメッセージ送受信部１３は、サーバ装置ＳＥから通知された出会い相手（ユーザＢ）のニックネーム及びメッセージ交換用の宛先を記録する。なお、ユーザＡのユーザ端末ＵＥのマッチング要求部１１は、サーバ装置ＳＥから通知された出会い相手（ユーザＢ）のニックネームを表示部６５の画面表示等により出力してもよい。
【００５１】
同様に、ユーザＢのユーザ端末ＵＥのメッセージ送受信部１３は、サーバ装置ＳＥから通知された出会い相手（ユーザＡ）のニックネーム及びメッセージ交換用の宛先を記録する。なお、ユーザＢのユーザ端末ＵＥのマッチング要求部１１は、サーバ装置ＳＥから通知された出会い相手（ユーザＡ）のニックネームを表示部６５の画面表示等により出力してもよい。
【００５２】
（ステップＳ３）  各ユーザＡ，Ｂが待合せ場所「〇〇カフェ」に移動し、ユーザＡ，Ｂ間の距離が近づく。各ユーザＡ，Ｂのユーザ端末ＵＥのユーザ間接近判定部１５は、端末接近度合いが所定の閾値以上である場合に、相手ユーザのユーザ端末ＵＥが接近したと判定する。各ユーザＡ，Ｂのユーザ端末ＵＥのメッセージ送受信部１３は、ユーザマッチングの成立の結果の相手ユーザのユーザ端末ＵＥが接近したと判定されると、当該相手ユーザのユーザ端末ＵＥとの間でメッセージの交換を開始する。これにより、ユーザＡ，Ｂは、各自のユーザ端末ＵＥにより出会い相手とのメッセージの交換を行い、待合せ場所「〇〇カフェ」での座席や服装などの出会うための各自の特徴を出会い相手に伝える。
なお、各ユーザＡ，Ｂのユーザ端末ＵＥの待合せ場所到着通知部１２は、自ユーザ端末ＵＥの位置がサーバ装置ＳＥから通知された待合せ場所に該当する場合において、自動的に又はユーザが到着通知操作を行ったときに、待合せ場所到着をサーバ装置ＳＥに通知してもよい。サーバ装置ＳＥの待合せ場所到着状態管理部４１は、各ユーザＡ，Ｂのユーザ端末ＵＥから待合せ場所到着の通知を受信すると、各出会い相手のユーザのユーザ端末ＵＥへ、「出会い相手が待合せ場所「〇〇カフェ」に到着したこと」を通知する。
【００５３】
（ステップＳ４）  ユーザＡとユーザＢとは、待合せ場所「〇〇カフェ」で対面する。
【００５４】
［出会い支援方法の詳細］
図６を参照して、本実施形態に係る出会い支援方法の詳細を説明する。図６は、本実施形態に係る出会い支援方法の手順の例を示すシーケンス図である。
【００５５】
（ステップＳ１０１ａ）  ユーザＡは、ユーザ端末ＵＥにより出会い支援アプリケーションを実行した後に、ユーザマッチングを開始する操作を行う。なお、ユーザは、ユーザマッチングが開始されてから出会うまでの間でいつでも出会いのキャンセルを行うことができる。
【００５６】
（ステップＳ１０２ａ）  ユーザＡのユーザ端末ＵＥのマッチング要求部１１は、自ユーザ端末ＵＥの測位部６６が測位した自ユーザ端末ＵＥの現在位置を示す位置情報をサーバ装置ＳＥに通知してユーザマッチングをサーバ装置ＳＥに要求する。
【００５７】
（ステップＳ１０３ａ）  サーバ装置ＳＥの待ち合わせ場所指定部３１は、ユーザＡのユーザ端末ＵＥからのユーザマッチングの要求に応じて、待合せ場所の店名「〇〇カフェ」及び待合せ場所「〇〇カフェ」の位置（緯度、経度）を当該ユーザマッチングの要求元のユーザＡのユーザ端末ＵＥに通知する。
【００５８】
ユーザＡのユーザ端末ＵＥのマッチング要求部１１は、サーバ装置ＳＥから通知された待合せ場所「〇〇カフェ」を示す情報を表示部６５の画面表示等により出力する。これにより、ユーザＡは、待合せ場所「〇〇カフェ」を認識し、待合せ場所「〇〇カフェ」へ移動を開始する。
【００５９】
（待合せ場所の選択方法）
ここで、待ち合わせ場所指定部３１がユーザマッチングの要求に応じて待合せ場所を選択する方法の例を説明する。待ち合わせ場所指定部３１は、ユーザ端末ＵＥから通知された位置情報が示す当該ユーザ端末ＵＥの現在位置に基づいて、待合せ場所を選択する。
【００６０】
（待合せ場所の選択方法の例１）
出会い支援システムのサービス提供者が予めサーバ装置ＳＥに登録した複数の待合せ場所候補のうち、ユーザ端末ＵＥの現在位置から所定の距離以内に存在する待合せ場所候補の中から無作為に待合せ場所を選択する。
【００６１】
（待合せ場所の選択方法の例２）
出会い支援システムのサービス提供者が予めサーバ装置ＳＥに登録した複数の待合せ場所候補のうち、ユーザ端末ＵＥの現在位置から比較的近くに存在する待合せ場所候補を待合せ場所に選択する。例えば、ユーザ端末ＵＥの現在位置から最短距離に存在する待合せ場所候補を待合せ場所に選択する。
【００６２】
（待合せ場所の選択方法の例３）
出会い支援システムのサービス提供者が予めサーバ装置ＳＥに登録した複数の待合せ場所候補のうち、ユーザ端末ＵＥの現在位置から所定の距離以内に存在する待合せ場所候補であって、過去の出会えた実績が比較的多い待合せ場所候補を待合せ場所に選択する。例えば、過去の出会えた実績が最大の待合せ場所候補を待合せ場所に選択する。
【００６３】
（待合せ場所の選択方法の例４）
出会い支援システムのサービス提供者が予めサーバ装置ＳＥに登録した複数の待合せ場所候補のうち、ユーザ端末ＵＥの現在位置から所定の距離以内に存在する待合せ場所候補であって、ユーザマッチングの要求元のユーザのプロファイルの属性に類似する属性の他のユーザが過去に出会えた実績が比較的多い待合せ場所候補を待合せ場所に選択する。例えば、過去の出会えた実績が最大の待合せ場所候補を待合せ場所に選択する。
【００６４】
なお、待ち合わせ場所指定部３１は、待合せ場所候補の現在状況を知ることができる場合、例えば混んでいたり、満席であったりする待合せ場所候補を除外して待合せ場所の選択を行ってもよい。待合せ場所候補の現在状況は、例えば待合せ場所候補の店舗案内のホームページ等から取得する。
【００６５】
また、待ち合わせ場所指定部３１は、ユーザマッチングの成立の結果のユーザの組合せのユーザ同士が出会える確率を待合せ場所候補毎に過去の出会えた実績から算出し、算出した出会える確率が比較的低い待合せ場所候補の優先度を下げてもよい。これは、出会える確率が比較的低い待合せ場所候補は、出会い相手を見つけづらかったり、ユーザが出会い支援アプリケーションを使いづらかったりする場所であることが考えられるからである。
【００６６】
また、待ち合わせ場所指定部３１は、出会い相手のユーザに対する評価値の統計値（例えば平均値）を待合せ場所候補毎に過去の評価値の実績から算出し、算出した評価値の統計値が比較的低評価である待合せ場所候補の優先度を下げてもよい。これは、出会い相手のユーザに対する評価値の統計値が比較的低評価である待合せ場所候補は、雰囲気が良くない等、待合せ場所に適していない場所であることが考えられるからである。
【００６７】
説明を図６に戻す。
（ステップＳ１０１ｂ）  ユーザＢは、ユーザ端末ＵＥにより出会い支援アプリケーションを実行した後に、ユーザマッチングを開始する操作を行う。
【００６８】
（ステップＳ１０２ｂ）  ユーザＢのユーザ端末ＵＥのマッチング要求部１１は、自ユーザ端末ＵＥの測位部６６が測位した自ユーザ端末ＵＥの現在位置を示す位置情報をサーバ装置ＳＥに通知してユーザマッチングをサーバ装置ＳＥに要求する。
【００６９】
（ステップＳ１０３ｂ）  サーバ装置ＳＥの待ち合わせ場所指定部３１は、ユーザＢのユーザ端末ＵＥからのユーザマッチングの要求に応じて、待合せ場所の店名「〇〇カフェ」及び待合せ場所「〇〇カフェ」の位置（緯度、経度）を当該ユーザマッチングの要求元のユーザＢのユーザ端末ＵＥに通知する。
【００７０】
ユーザＢのユーザ端末ＵＥのマッチング要求部１１は、サーバ装置ＳＥから通知された待合せ場所「〇〇カフェ」を示す情報を表示部６５の画面表示等により出力する。これにより、ユーザＢは、待合せ場所「〇〇カフェ」を認識し、待合せ場所「〇〇カフェ」へ移動を開始する。
【００７１】
（ステップＳ１０４ａ，Ｓ１０４ｂ）  サーバ装置ＳＥのユーザマッチング部３２は、同じ待合せ場所「〇〇カフェ」を通知するユーザの組合せをユーザＤＢ５０の登録ユーザ群の中から選択し、選択した組合せの各ユーザＡ，Ｂのユーザ端末ＵＥへユーザマッチングの成立の結果「出会い相手のニックネーム及びメッセージ交換用の宛先」を通知する。
【００７２】
ユーザＡのユーザ端末ＵＥのメッセージ送受信部１３は、サーバ装置ＳＥから通知された出会い相手（ユーザＢ）のニックネーム及びメッセージ交換用の宛先を記録する。なお、ユーザＡのユーザ端末ＵＥのマッチング要求部１１は、サーバ装置ＳＥから通知された出会い相手（ユーザＢ）のニックネームを表示部６５の画面表示等により出力してもよい。
【００７３】
ユーザＢのユーザ端末ＵＥのメッセージ送受信部１３は、サーバ装置ＳＥから通知された出会い相手（ユーザＡ）のニックネーム及びメッセージ交換用の宛先を記録する。なお、ユーザＢのユーザ端末ＵＥのマッチング要求部１１は、サーバ装置ＳＥから通知された出会い相手（ユーザＡ）のニックネームを表示部６５の画面表示等により出力してもよい。
【００７４】
（ユーザの組合せの選択方法）
ここで、ユーザマッチング部３２が、同じ待合せ場所「〇〇カフェ」を通知するユーザの組合せをユーザＤＢ５０の登録ユーザ群の中から選択する方法の例を説明する。
【００７５】
なお、同じ組にするユーザ数は、二人であってもよく、又は、三人以上であってもよい。また、同じ組にするユーザ数の上限を設けてもよい。同じ組にするユーザ数の上限は、出会い支援システムのサービス提供者が予めサーバ装置ＳＥに設定してもよく、又は、ユーザの要求に従って当該ユーザに適用する上限をサーバ装置ＳＥに設定してもよい。
【００７６】
（ユーザの組合せの選択方法の例１）
ユーザマッチング部３２は、ユーザＤＢ５０の登録ユーザ群のうち、同じ待合せ場所「〇〇カフェ」を通知する複数のユーザの中から、同じ組にする複数のユーザを無作為に選択する。
【００７７】
（ユーザの組合せの選択方法の例２）
ユーザマッチング部３２は、ユーザＤＢ５０の登録ユーザ群のうち、同じ待合せ場所「〇〇カフェ」を通知する複数のユーザの中から、ユーザ端末ＵＥの現在位置が比較的近い複数のユーザを同じ組にする。
【００７８】
（ユーザの組合せの選択方法の例３）
ユーザマッチング部３２は、ユーザＤＢ５０の登録ユーザ群のうち、同じ待合せ場所「〇〇カフェ」を通知する複数のユーザの中から、一のユーザとプロファイルの属性が類似する他のユーザであって評価ランクが比較的良いユーザを当該一のユーザと同じ組にする。
【００７９】
なお、ユーザマッチング部３２は、ユーザＤＢ５０の登録ユーザ群のうち、同じ待合せ場所「〇〇カフェ」を通知する複数のユーザが存在しない場合、つまり、待合せ場所「〇〇カフェ」を通知するユーザが一人のみの場合、当該ユーザに現時点でユーザマッチングが不成立であることを通知し、当該ユーザに対してユーザマッチングを継続するか否かを問合せてもよい。この結果、当該ユーザからユーザマッチングを継続する旨の回答があった場合には当該ユーザマッチングを継続し、一方、当該ユーザからユーザマッチングを継続する旨の回答が問合せしてから一定期間経過してもなかった場合には当該ユーザマッチングを終了する。
【００８０】
また、ユーザマッチング部３２は、所定のユーザマッチング条件に従って、同じ組にするユーザを限定してもよい。ユーザマッチング条件は、出会い支援システムのサービス提供者が予めサーバ装置ＳＥに設定する。ユーザマッチング条件の例を以下に示す。
【００８１】
（ユーザマッチング条件の例１）
同じ組にするユーザの属性を限定する。例えば、同じ組にするユーザを異性の組合せにする。又は、同じ組にするユーザを同性の組合せにする。又は、同じ組にするユーザを同年代の組合せにする。又は、同じ組にするユーザを異なる年代の組合せにする。又は、同じ組にするユーザを同じ居住地域の組合せにする。又は、同じ組にするユーザを異なる居住地域の組合せにする。又は、同じ組にするユーザを同じ趣味の組合せにする。又は、同じ組にするユーザを異なる趣味の組合せにする。
【００８２】
（ユーザマッチング条件の例２）
同じ組にするユーザの評価ランクを限定する。例えば、３段階の評価ランク「高い」、「中」、「低い」のうち、同じ組にするユーザの評価ランクを基準値（例えば「中」）以上に限定する。
【００８３】
（ユーザマッチング条件の例３）
同じ組にするユーザのキャンセル頻度を限定する。例えば、同じ組にするユーザのキャンセル頻度を、基準値（例えば１０％）以下に限定する。
【００８４】
（ユーザマッチング条件の例４）
同じ組にするユーザの待合せ場所変更頻度を限定する。例えば、同じ組にするユーザの待合せ場所変更頻度を、基準値（例えば１０％）以下に限定する。
【００８５】
なお、上記したユーザマッチング条件の例２、例３、例４に関しては、直近の所定回数分の実績のみから算出された「評価ランク」、「キャンセル頻度」、「待合せ場所変更頻度」を適用するようにしてもよい。これにより、「評価ランク」、「キャンセル頻度」、「待合せ場所変更頻度」が直近になるにつれて改善しているユーザが出会い相手候補になることに寄与できる。
【００８６】
また、上記したユーザマッチング条件の例２、例３、例４に関しては、ユーザ毎に異なる基準値を使用してもよい。
【００８７】
上述したユーザの組合せの選択方法によれば、ユーザの出会いたい相手の属性とは無関係に、ユーザの組合せが選択される。これにより、各ユーザの出会いたい相手の属性が高学歴や高収入といった特定の属性に偏ってしまうことにより特定の属性を有するユーザに人気が集中してユーザマッチングが成立しにくくなることを防止できる。
【００８８】
説明を図６に戻す。
（ステップＳ１０５ａ）  ユーザＡは、ユーザ端末ＵＥにより、待合せ場所「〇〇カフェ」に到着したことをサーバ装置ＳＥに通知するための到着通知操作を行う。ユーザＡのユーザ端末ＵＥの待合せ場所到着通知部１２は、自ユーザ端末ＵＥの位置がサーバ装置ＳＥから通知された待合せ場所「〇〇カフェ」の位置に該当する場合に到着通知操作を受け付ける。一方、ユーザＡのユーザ端末ＵＥの待合せ場所到着通知部１２は、自ユーザ端末ＵＥの位置がサーバ装置ＳＥから通知された待合せ場所「〇〇カフェ」の位置に該当しない場合には到着通知操作を受け付けない。
【００８９】
（ステップＳ１０６ａ）  ユーザＡのユーザ端末ＵＥの待合せ場所到着通知部１２は、自ユーザ端末ＵＥの位置がサーバ装置ＳＥから通知された待合せ場所「〇〇カフェ」の位置に該当する場合において到着通知操作を受け付けたときに、ユーザＡが待合せ場所「〇〇カフェ」に到着したことをサーバ装置ＳＥに通知する。一方、ユーザＡのユーザ端末ＵＥの待合せ場所到着通知部１２は、自ユーザ端末ＵＥの位置がサーバ装置ＳＥから通知された待合せ場所「〇〇カフェ」の位置に該当しない場合には、ユーザＡが待合せ場所「〇〇カフェ」に到着したことの到着通知をサーバ装置ＳＥに行わない。
【００９０】
（ステップＳ１０７ａ）  サーバ装置ＳＥの待合せ場所到着状態管理部４１は、ユーザＡのユーザ端末ＵＥから、ユーザＡが待合せ場所「〇〇カフェ」に到着したことの到着通知を受信すると、ユーザＡの出会い相手のユーザＢのユーザ端末ＵＥへ、「出会い相手（ユーザＡ）が待合せ場所「〇〇カフェ」に到着したこと」を通知する。ユーザＢのユーザ端末ＵＥの待合せ場所到着通知部１２は、サーバ装置ＳＥから通知された「出会い相手（ユーザＡ）が待合せ場所「〇〇カフェ」に到着したこと」を示す情報を表示部６５の画面表示等により出力する。これにより、ユーザＢは、出会い相手（ユーザＡ）が待合せ場所「〇〇カフェ」に到着したことを認識する。ユーザＢが出会い相手（ユーザＡ）が待合せ場所「〇〇カフェ」に到着したことを認識することにより、ユーザＢが途中で出会いを諦めることを抑制する効果を奏する。
【００９１】
（ステップＳ１０５ｂ）  ユーザＢは、ユーザ端末ＵＥにより、待合せ場所「〇〇カフェ」に到着したことをサーバ装置ＳＥに通知するための到着通知操作を行う。ユーザＢのユーザ端末ＵＥの待合せ場所到着通知部１２は、自ユーザ端末ＵＥの位置がサーバ装置ＳＥから通知された待合せ場所「〇〇カフェ」の位置に該当する場合に到着通知操作を受け付ける。一方、ユーザＢのユーザ端末ＵＥの待合せ場所到着通知部１２は、自ユーザ端末ＵＥの位置がサーバ装置ＳＥから通知された待合せ場所「〇〇カフェ」の位置に該当しない場合には到着通知操作を受け付けない。
【００９２】
（ステップＳ１０６ｂ）  ユーザＢのユーザ端末ＵＥの待合せ場所到着通知部１２は、自ユーザ端末ＵＥの位置がサーバ装置ＳＥから通知された待合せ場所「〇〇カフェ」の位置に該当する場合において到着通知操作を受け付けたときに、ユーザＢが待合せ場所「〇〇カフェ」に到着したことをサーバ装置ＳＥに通知する。一方、ユーザＢのユーザ端末ＵＥの待合せ場所到着通知部１２は、自ユーザ端末ＵＥの位置がサーバ装置ＳＥから通知された待合せ場所「〇〇カフェ」の位置に該当しない場合には、ユーザＢが待合せ場所「〇〇カフェ」に到着したことの到着通知をサーバ装置ＳＥに行わない。
【００９３】
（ステップＳ１０７ｂ）  サーバ装置ＳＥの待合せ場所到着状態管理部４１は、ユーザＢのユーザ端末ＵＥから、ユーザＢが待合せ場所「〇〇カフェ」に到着したことの到着通知を受信すると、ユーザＢの出会い相手のユーザＡのユーザ端末ＵＥへ、「出会い相手（ユーザＢ）が待合せ場所「〇〇カフェ」に到着したこと」を通知する。ユーザＡのユーザ端末ＵＥの待合せ場所到着通知部１２は、サーバ装置ＳＥから通知された「出会い相手（ユーザＢ）が待合せ場所「〇〇カフェ」に到着したこと」を示す情報を表示部６５の画面表示等により出力する。これにより、ユーザＡは、出会い相手（ユーザＢ）が待合せ場所「〇〇カフェ」に到着したことを認識する。ユーザＡが出会い相手（ユーザＢ）が待合せ場所「〇〇カフェ」に到着したことを認識することにより、ユーザＡが途中で出会いを諦めることを抑制する効果を奏する。
【００９４】
（ステップＳ１０８）  各ユーザＡ，Ｂが待合せ場所「〇〇カフェ」に移動し、ユーザＡ，Ｂ間の距離が近づく。ユーザ接近判定処理が実行される。ユーザ接近判定処理の詳細は後述する。
【００９５】
（ステップＳ１０９）  ステップＳ１０８のユーザ判定処理の結果、ユーザＡ，Ｂのユーザ端末同士が接近したと判定されると、各ユーザＡ，Ｂのユーザ端末ＵＥのメッセージ送受信部１３は、それぞれに出会い相手のメッセージ交換用の宛先を使用して出会い相手のユーザ端末ＵＥとの間でメッセージの交換を開始する。これにより、ユーザＡ，Ｂは、各自のユーザ端末ＵＥにより出会い相手とのメッセージの交換を行い、待合せ場所「〇〇カフェ」での座席や服装などの出会うための各自の特徴を出会い相手に伝える。
【００９６】
なお、ユーザＡ，Ｂのユーザ端末間のメッセージの交換は、サーバ装置ＳＥを介して行われてもよく、又は、サーバ装置ＳＥを介さずにユーザＡ，Ｂのユーザ端末同士で行われてもよい。ユーザＡ，Ｂのユーザ端末間のメッセージの交換がサーバ装置ＳＥを介して行われる場合、サーバ装置ＳＥのユーザ間メッセージ管理部４３がユーザＡ，Ｂのユーザ端末間のメッセージの交換を中継する。
【００９７】
（ステップＳ１１０）  ユーザＡとユーザＢとは、待合せ場所「〇〇カフェ」で対面する。待合せ場所「〇〇カフェ」で対面したユーザＡ，Ｂは、出会い相手と待合せ場所「〇〇カフェ」で出会えたことをサーバ装置ＳＥへ通知するための出会い通知操作をユーザ端末ＵＥにより行う。出会い通知操作は、ユーザＡ，Ｂのいずれか一方のみが行えばよい。図６の例では、ユーザＡがユーザ端末ＵＥにより出会い通知操作を行う。
【００９８】
（ステップＳ１１１）  ユーザＡのユーザ端末ＵＥの出会い通知部１７は、出会い通知操作に応じて、出会い相手（ユーザＢ）と待合せ場所「〇〇カフェ」で出会えたことをサーバ装置ＳＥへ通知する。
【００９９】
（ステップＳ１１２）  サーバ装置ＳＥのユーザ組状態管理部４０は、ユーザＡのユーザ端末ＵＥから、出会い相手（ユーザＢ）と待合せ場所「〇〇カフェ」で出会えたことの通知を受信すると、ユーザＡの出会い相手（ユーザＢ）のユーザ端末ＵＥへ、ユーザＢの出会い相手（ユーザＡ）と待合せ場所「〇〇カフェ」で出会えたこと（出会い完了）を通知する。これにより、サーバ装置ＳＥは、当該ユーザＡ，Ｂに係るユーザマッチングを終了する。
【０１００】
なお、ユーザは、ユーザマッチングが開始されてから出会うまでの間でいつでも出会いのキャンセルを行うことができる。ユーザがユーザ端末ＵＥにより出会いのキャンセル操作を行うと、ユーザ端末ＵＥからサーバ装置ＳＥへ、出会いのキャンセルが通知される。サーバ装置ＳＥは、出会いのキャンセルの通知を受けた場合、出会い相手のユーザ端末ＵＥへ出会いのキャンセルを通知する。また、サーバ装置ＳＥは、出会いのキャンセルの通知を受けた場合、当該ユーザマッチングを終了してもよく、又は、当該ユーザマッチングの成立前の状態（ユーザマッチングが成立しておらず、待合せ場所のみが通知された状態）に戻してもよい。
また、各ユーザＡ，Ｂは、ユーザマッチングの終了後に、出会い相手のユーザに対する評価値の入力操作をユーザ端末ＵＥにより行ってもよい。各ユーザＡ，Ｂのユーザ端末ＵＥの相手ユーザ評価部１４は、ユーザの操作に応じて、出会い相手のユーザに対する評価値をサーバ装置ＳＥへ送信する。サーバ装置ＳＥのユーザ評価管理部４４は、ユーザＡのユーザ端末ＵＥから出会い相手のユーザＢに対する評価値を受信すると、受信した出会い相手のユーザＢに対する評価値に基づいて、評価されたユーザＢの評価ランクを更新する。ユーザ評価管理部４４は、更新後のユーザＢの評価ランクを、ユーザマッチング結果出力部３３を介してユーザＤＢ５０に出力する。ユーザＤＢ５０は、ユーザＢの評価ランクを、更新後のユーザＢの評価ランクに変更する。ユーザＢによる出会い相手のユーザＡに対する評価値についても、同様に、ユーザＢのユーザ端末ＵＥからサーバ装置ＳＥに通知されて、ユーザ評価管理部４４によりユーザＡの評価ランクが更新され、ユーザＤＢ５０のユーザＡの評価ランクが更新後のユーザＡの評価ランクに変更される。
【０１０１】
また、ユーザＡ，Ｂは、各自のユーザ端末ＵＥにより、待合せ場所を変更する待合せ場所変更要求をサーバ装置ＳＥに通知する操作を行ってもよい。例えば、ユーザＡのユーザ端末ＵＥのマッチング要求部１１は、ユーザ操作に応じて、待合せ場所変更要求をサーバ装置ＳＥに通知する。サーバ装置ＳＥの待ち合わせ場所指定部３１は、ユーザＡのユーザ端末ＵＥからの待合せ場所の変更の要求に応じて、ユーザマッチングの成立の結果の相手ユーザＢのユーザ端末ＵＥへ待合せ場所の変更の許可を問合せする。待ち合わせ場所指定部３１は、当該問合せの結果が許可である場合に、ユーザマッチングの成立の結果の各ユーザＡ，Ｂのユーザ端末ＵＥへ変更後の待合せ場所を通知する。各ユーザＡ，Ｂのユーザ端末ＵＥのマッチング要求部１１は、サーバ装置ＳＥから通知された変更後の待合せ場所を示す情報を表示部６５の画面表示等により出力する。これにより、各ユーザＡ，Ｂは、変更後の待合せ場所を認識し、変更後の待合せ場所へ移動を開始する。
【０１０２】
また、ユーザマッチング部３２は、各ユーザＡ，Ｂのユーザ端末ＵＥへ通知するユーザマッチングの成立の結果に、待ち合わせ場所で各ユーザＡ，Ｂが出会い相手を識別するために使用する出会い相手識別方法を示す情報を含めてもよい。出会い相手識別方法の例を以下に示す。
【０１０３】
（出会い相手識別方法の例１）
出会い相手識別方法の例１は合言葉である。各ユーザＡ，Ｂは、サーバ装置ＳＥから通知された合言葉を待ち合わせ場所で使用することにより、出会い相手を判別する。
【０１０４】
（出会い相手識別方法の例２）
出会い相手識別方法の例２は共通の画像の提示である。各ユーザＡ，Ｂは、サーバ装置ＳＥから通知された共通の画像を待ち合わせ場所で提示、例えばユーザ端末ＵＥの表示部６５に当該共通の画像を表示させて待ち合わせ場所の店舗のテーブル上に置いておく。これにより、各ユーザＡ，Ｂは、出会い相手を判別する。
【０１０５】
（出会い相手識別方法の例３）
出会い相手識別方法の例３はポーズである。各ユーザＡ，Ｂは、サーバ装置ＳＥから通知されたポーズ、例えば頬杖を付いたり又は足を組んだりすることにより、出会い相手を判別する。
【０１０６】
［ユーザ接近判定処理の詳細］
ユーザ接近判定処理の詳細を以下に例を挙げて説明する。
【０１０７】
（ユーザ接近判定処理の例１）
図７を参照して本実施形態に係るユーザ接近判定処理の例１を説明する。図７は、本実施形態に係るユーザ接近判定処理の例１の手順を示すシーケンス図である。図７において、ユーザＡのユーザ端末ＵＥは、無線ＬＡＮのテザリング機能が有効である。ユーザＢのユーザ端末ＵＥは、無線ＬＡＮの通信機能が有効である。無線ＬＡＮは、例えばＷｉ−Ｆｉ（登録商標）方式の無線ＬＡＮである。
【０１０８】
（ステップＳ２０１）  ユーザＡのユーザ端末ＵＥのユーザ間接近判定部１５は、テザリングの接続情報（ＳＳＩＤ）をサーバ装置ＳＥへ通知する。
【０１０９】
（ステップＳ２０２）  サーバ装置ＳＥのユーザ間接近判定情報管理部４２は、ユーザＡのユーザ端末ＵＥから通知されたテザリングの接続情報（ＳＳＩＤ）を、ユーザＢのユーザ端末ＵＥへ通知する。
【０１１０】
（ステップＳ２０３）  ユーザＢのユーザ端末ＵＥのユーザ間接近判定部１５は、サーバ装置ＳＥから通知されたテザリングの接続情報（ＳＳＩＤ）を使用して、無線ＬＡＮの電波強度を測定する。ユーザＢのユーザ端末ＵＥのユーザ間接近判定部１５は、測定結果の電波強度に基づいて、ユーザＡのユーザ端末ＵＥとの間の距離を示す端末間距離情報を算出する。ユーザＢのユーザ端末ＵＥのユーザ間接近判定部１５は、算出した端末間距離情報に基づいて、ユーザＡのユーザ端末ＵＥがどの程度接近したかを示す端末接近度合いを判定する。ユーザＢのユーザ端末ＵＥのユーザ間接近判定部１５は、判定結果の端末接近度合いが所定の閾値以上である場合に、ユーザＡのユーザ端末ＵＥが接近したと判定する。
【０１１１】
（ステップＳ２０４）  ユーザＢのユーザ端末ＵＥのユーザ間接近判定部１５は、測定結果の電波強度をサーバ装置ＳＥへ通知する。
【０１１２】
（ステップＳ２０５）  サーバ装置ＳＥのユーザ間接近判定情報管理部４２は、ユーザＢのユーザ端末ＵＥから通知された測定結果の電波強度を、ユーザＡのユーザ端末ＵＥへ通知する。
【０１１３】
（ステップＳ２０６）  ユーザＡのユーザ端末ＵＥのユーザ間接近判定部１５は、サーバ装置ＳＥから通知された測定結果の電波強度に基づいて、ユーザＢのユーザ端末ＵＥとの間の距離を示す端末間距離情報を算出する。ユーザＡのユーザ端末ＵＥのユーザ間接近判定部１５は、算出した端末間距離情報に基づいて、ユーザＢのユーザ端末ＵＥがどの程度接近したかを示す端末接近度合いを判定する。ユーザＡのユーザ端末ＵＥのユーザ間接近判定部１５は、判定結果の端末接近度合いが所定の閾値以上である場合に、ユーザＢのユーザ端末ＵＥが接近したと判定する。
【０１１４】
以降、ユーザＡ，Ｂのユーザ端末ＵＥ同士が接近したと判定されるまで、ステップＳ２０３からステップＳ２０６までが繰り返される。
【０１１５】
なお、ユーザＡ，Ｂのいずれか一方のユーザ端末ＵＥのみが、ユーザＡ，Ｂのユーザ端末ＵＥ同士が接近したと判定してもよい。当該判定結果は、判定した方のユーザ端末ＵＥからサーバ装置ＳＥを介してもう一方のユーザ端末ＵＥへ通知される。
【０１１６】
また、サーバ装置ＳＥのユーザ間接近判定情報管理部４２が、ユーザＢのユーザ端末ＵＥから通知された測定結果の電波強度に基づいてユーザＡ，Ｂのユーザ端末ＵＥ間の距離を示す端末間距離情報を算出し、算出した端末間距離情報に基づいてユーザＡ，Ｂのユーザ端末ＵＥ同士がどの程度接近したかを示す端末接近度合いを判定し、判定結果の端末接近度合いが所定の閾値以上である場合に、ユーザＡ，Ｂのユーザ端末ＵＥ同士が接近したと判定してもよい。当該判定結果は、各ユーザＡ，Ｂのユーザ端末ＵＥへ通知される。
【０１１７】
（ユーザ接近判定処理の例２）
図８を参照して本実施形態に係るユーザ接近判定処理の例２を説明する。図８は、本実施形態に係るユーザ接近判定処理の例２の手順を示すシーケンス図である。図８において、各ユーザＡ，Ｂのユーザ端末ＵＥは、無線ＬＡＮの通信機能が有効である。無線ＬＡＮは、例えばＷｉ−Ｆｉ（登録商標）方式の無線ＬＡＮである。
【０１１８】
（ステップＳ３０１）  ユーザＡのユーザ端末ＵＥのユーザ間接近判定部１５は、無線ＬＡＮの受信測定を行う。無線ＬＡＮの受信測定では、受信信号に基づいて、ＳＳＩＤとＭＡＣアドレスと電波強度が測定される。
【０１１９】
（ステップＳ３０２）  ユーザＡのユーザ端末ＵＥのユーザ間接近判定部１５は、測定結果のＳＳＩＤとＭＡＣアドレスと電波強度をサーバ装置ＳＥへ通知する。
【０１２０】
（ステップＳ３０３）  サーバ装置ＳＥのユーザ間接近判定情報管理部４２は、ユーザＡのユーザ端末ＵＥから通知された測定結果（ＳＳＩＤ、ＭＡＣアドレス、電波強度）を、ユーザＢのユーザ端末ＵＥへ通知する。
【０１２１】
（ステップＳ３０４）  ユーザＢのユーザ端末ＵＥのユーザ間接近判定部１５は、無線ＬＡＮの受信測定を行う。無線ＬＡＮの受信測定では、受信信号に基づいて、ＳＳＩＤとＭＡＣアドレスと電波強度が測定される。
【０１２２】
（ステップＳ３０５）  ユーザＢのユーザ端末ＵＥのユーザ間接近判定部１５は、測定結果のＳＳＩＤとＭＡＣアドレスと電波強度をサーバ装置ＳＥへ通知する。
【０１２３】
（ステップＳ３０６）  サーバ装置ＳＥのユーザ間接近判定情報管理部４２は、ユーザＢのユーザ端末ＵＥから通知された測定結果（ＳＳＩＤ、ＭＡＣアドレス、電波強度）を、ユーザＡのユーザ端末ＵＥへ通知する。
【０１２４】
（ステップＳ３０７ａ）  ユーザＡのユーザ端末ＵＥのユーザ間接近判定部１５は、自己の測定結果（ＳＳＩＤ、ＭＡＣアドレス、電波強度）と、サーバ装置ＳＥから通知されたユーザＢの測定結果（ＳＳＩＤ、ＭＡＣアドレス、電波強度）との類似度を算出する。ユーザＡのユーザ端末ＵＥのユーザ間接近判定部１５は、算出した類似度（端末接近度合いに相当）が所定の閾値以上である場合に、ユーザＢのユーザ端末ＵＥが接近したと判定する。
【０１２５】
図９は、本実施形態に係るユーザ接近判定処理の例２のユーザ接近判定方法の説明図である。図９の例では、測定結果のＳＳＩＤと電波強度の類似度を使用するが、測定結果のＭＡＣアドレスと電波強度の類似度、又は、測定結果のＳＳＩＤとＭＡＣアドレスと電波強度の類似度を使用してもよい。図９において、測定結果の例１は、ユーザＡのユーザ端末ＵＥの測定結果の例である。測定結果の例２及び例３は、ユーザＢのユーザ端末ＵＥの測定結果の例である。ユーザＡのユーザ端末ＵＥのユーザ間接近判定部１５は、自己の測定結果の例１とユーザＢの測定結果の例２との類似度を算出する。ユーザＡのユーザ端末ＵＥのユーザ間接近判定部１５は、自己の測定結果の例１とユーザＢの測定結果の例３との類似度を算出する。
【０１２６】
ユーザＡの測定結果の例１とユーザＢの測定結果の例２との類似度の算出結果は「高」である。ここでは、所定の閾値は「高」である。これにより、ユーザＡのユーザ端末ＵＥのユーザ間接近判定部１５は、自己の測定結果の例１とユーザＢの測定結果の例２との類似度「高」が閾値「高」以上であるので、ユーザＢのユーザ端末ＵＥが接近したと判定する。一方、ユーザＡの測定結果の例１とユーザＢの測定結果の例３との類似度の算出結果は「低」であって閾値「高」未満であるので、ユーザＡのユーザ端末ＵＥのユーザ間接近判定部１５は、ユーザＢのユーザ端末ＵＥが接近していないと判定する。
【０１２７】
（ステップＳ３０７ｂ）  ユーザＢのユーザ端末ＵＥのユーザ間接近判定部１５は、自己の測定結果（ＳＳＩＤ、ＭＡＣアドレス、電波強度）と、サーバ装置ＳＥから通知されたユーザＡの測定結果（ＳＳＩＤ、ＭＡＣアドレス、電波強度）との類似度を算出する。上述した図９のユーザ接近判定方法により、ユーザＢのユーザ端末ＵＥのユーザ間接近判定部１５は、算出した類似度が所定の閾値以上である場合に、ユーザＡのユーザ端末ＵＥが接近したと判定する。
【０１２８】
以降、ユーザＡ，Ｂのユーザ端末ＵＥ同士が接近したと判定されるまで、ステップＳ３０１からステップＳ３０７ａ，Ｓ３０７ｂまでが繰り返される。
【０１２９】
なお、ユーザＡ，Ｂのいずれか一方のユーザ端末ＵＥのみが、ユーザＡ，Ｂのユーザ端末ＵＥ同士が接近したと判定してもよい。当該判定結果は、判定した方のユーザ端末ＵＥからサーバ装置ＳＥを介してもう一方のユーザ端末ＵＥへ通知される。
【０１３０】
また、サーバ装置ＳＥのユーザ間接近判定情報管理部４２が、各ユーザＡ，Ｂのユーザ端末ＵＥから通知された測定結果の類似度を算出し、算出した類似度が所定の閾値以上である場合に、ユーザＡ，Ｂのユーザ端末ＵＥ同士が接近したと判定してもよい。当該判定結果は、各ユーザＡ，Ｂのユーザ端末ＵＥへ通知される。
【０１３１】
上述した実施形態によれば、出会い要求元のユーザに対して出会い相手と対面する待合せ場所が通知され、同じ待合せ場所を通知するユーザの組合せの各ユーザに対してユーザマッチングの結果が通知される。これにより、ユーザマッチングが成立した組合せのユーザは、通知された同じ待合せ場所に出向くことにより、出会い相手と対面する事前のメッセージ交換により互いの印象をある程度把握する過程を省略して、容易に出会い相手と対面することができる。このように、本実施形態によれば、出会い要求元のユーザ同士を同じ待合せ場所に誘導することにより、ユーザ同士が実際に対面して出会うことを支援することができるという効果が得られる。
【０１３２】
また、本実施形態によれば、ユーザマッチングが成立した組合せのユーザが待合せ場所に到着したことが出会い相手に通知されるので、ユーザマッチングが成立した組合せのユーザが途中で出会いを諦めることを抑制する効果が得られる。
【０１３３】
また、本実施形態によれば、ユーザマッチングが成立した組合せのユーザ同士が対面する事前のメッセージ交換により互いの印象をある程度把握する過程が省略される。一方、出会いを希望するユーザ同士が待合せ場所で接近すると、メッセージ交換が可能になって、待合せ場所での座席や服装などの出会うための各自の特徴を出会い相手に伝えることができる。
【０１３４】
また、本実施形態によれば、ユーザマッチングが成立した組合せのユーザからの待合せ場所の変更の要求に応じて、当該組合せの他のユーザの待合せ場所の変更の許可が得られた場合に、当該組合せの各ユーザに対して変更後の待合せ場所が通知される。これにより、最初の待合せ場所が混雑していたり満席であったりする不測の事態に対処することができる。
【０１３５】
以上、本発明の実施形態について図面を参照して詳述してきたが、具体的な構成はこの実施形態に限られるものではなく、本発明の要旨を逸脱しない範囲の設計変更等も含まれる。
【０１３６】
上述した各装置の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【０１３７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１３８】
１…出会い支援システム、１１…マッチング要求部、１２…待合せ場所到着通知部、１３…メッセージ送受信部、１４…相手ユーザ評価部、１５…ユーザ間接近判定部、１６…ユーザ間接近度合い表示部、１７…出会い通知部、３１…待ち合わせ場所指定部、３２…ユーザマッチング部、３３…ユーザマッチング結果出力部、４０…ユーザ組状態管理部、５０…ユーザＤＢ、６１，７１…演算処理部、６２，７２…記憶部、６３，７３…通信部、６４…操作部、６５…表示部、６６…測位部、ＮＷ…通信ネットワーク、ＳＥ…サーバ装置、ＵＥ…ユーザ端末
【図１】
2020035130.tif 000003
【図２】
2020035130.tif 000004
【図３】
2020035130.tif 000005
【図４】
2020035130.tif 000006
【図５】
2020035130.tif 000007
【図６】
2020035130.tif 000008
【図７】
2020035130.tif 000009
【図８】
2020035130.tif 000010
【図９】
2020035130.tif 000011